(57)【要約】【課題】  壁面の後方から取り付けるＩＣカードリーダライタであっても、取付場所が限定されることはなく、かつ、ＩＣカードリーダライタの盗難や配線の切断の防止を図ることができるＩＣカードリーダライタ用の壁面取付具を提供する。【解決手段】  一対の凸片１３ａ，１３ｃを少なくとも２組備え、壁面に取り付けられるベース部材３と、前記ベース部材３の前面より挿入して前記ベース部材３に沿って摺動固定される固定部材４とからなるＩＣカードリーダライタ用の壁面取付具１であって、前記固定部材４は、ＩＣカードリーダライタ２を固定する固定部１９ａ，１９ｂと、前記固定部１９ａ，１９ｂに設けられ、前記ベース部材３の一対の凸片１３ａ，１３ｃにそれぞれ係合する一対の係合片１２ａ，１２ｃと、前記ＩＣカードリーダライタ２の配線７を収容する配線収容部２０とを備える。【選択図】図１
2007272645.tif 000002
【特許請求の範囲】
【請求項１】
一対の凸片を少なくとも２組備え、壁面に取り付けられるベース部材と、前記ベース部材の前面より挿入して前記ベース部材に沿って摺動固定される固定部材とからなるＩＣカードリーダライタ用の壁面取付具であって、
前記固定部材は、ＩＣカードリーダライタを固定する固定部と、前記固定部に設けられ、前記ベース部材の一対の凸片にそれぞれ係合する一対の係合片と、前記ＩＣカードリーダライタの配線を収容する配線収容部とを備えることを特徴とする、ＩＣカードリーダライタ用の壁面取付具。
【請求項２】
前記固定部は、一対の部材で構成されていることを特徴とする、請求項１記載のＩＣカードリーダライタ用の壁面取付具。
【請求項３】
前記固定部は、連結部材を介して連結された一対の部材で構成されていることを特徴とする、請求項１記載のＩＣカードリーダライタ用の壁面取付具。
【請求項４】
前記ベース部材は、一対の部材で構成されていることを特徴とする、請求項１記載のＩＣカードリーダライタ用の壁面取付具。
【請求項５】
前記ベース部材の凸片及び前記固定部材の係合片は、相互に対応するテーパー面をそれぞれ備えていることを特徴とする、請求項１記載のＩＣカードリーダライタ用の壁面取付具。
【請求項６】
一対の凸片を少なくとも２組備え、壁面に取り付けられるベース部材と、前記ベース部材に沿って摺動固定される固定部材とからなるＩＣカードリーダライタ用の壁面取付具であって、
前記固定部材は、ＩＣカードリーダライタを固定する固定部と、前記固定部に設けられ、前記ベース部材の一対の凸片にそれぞれ係合する一対の係合片と、前記ＩＣカードリーダライタの配線を収容する配線収容部とを備えることを特徴とする、ＩＣカードリーダライタ用の壁面取付具。
【請求項７】
前記固定部は、一対の部材で構成されていることを特徴とする、請求項６記載のＩＣカードリーダライタ用の壁面取付具。
【請求項８】
前記ベース部材は、一対の部材で構成されていることを特徴とする、請求項６記載のＩＣカードリーダライタ用の壁面取付具。
【請求項９】
前記ベース部材の凸片及び前記固定部材の係合片は、相互に対応するテーパー面をそれぞれ備えていることを特徴とする、請求項６記載のＩＣカードリーダライタ用の壁面取付具。
【請求項１０】
前記ベース部材の一対の凸片及び前記固定部材の一対の係合片は、前記固定部材の挿入方向に従い、順次間隔を広げて配置されることを特徴とする、請求項６記載のＩＣカードリーダライタ用の壁面取付具。
【発明の詳細な説明】
【技術分野】
【０００１】
本発明は、ＩＣカードリーダライタ用の壁面取付具に関する。
【背景技術】
【０００２】
従来、ＩＣカードリーダライタには、壁面の後方よりネジ止め固定して壁面に取り付けられるものがある。しかしながら、取付作業を行う壁面によっては、建築物の構造上、取付作業者が後方に立ち入って取付作業を行うことができないような壁面もあるため、前記のようなＩＣカードリーダライタでは、取付場所が、一部の場所に限定されてしまうという問題点がある。
【０００３】
さらに、前記ＩＣカードリーダライタを壁面に取り付ける場合には、その取付構造は、ＩＣカードリーダライタの盗難や配線の切断の防止を図った特許文献１のように、作業者にとって取付作業が容易である一方、第三者には、取外し方法が認識し難いように構成することが必要である。
【特許文献１】特開平４−３６５１９０号公報
【発明の開示】
【発明が解決しようとする課題】
【０００４】
したがって、本発明は、壁面の後方から取り付けるＩＣカードリーダライタであっても、取付場所が限定されることはなく、かつ、ＩＣカードリーダライタの盗難や配線の切断の防止を図ることができるＩＣカードリーダライタ用の壁面取付具を提供することを課題とする。
【課題を解決するための手段】
【０００５】
前記課題を解決するための手段として、本発明は、一対の凸片を少なくとも２組備え、壁面に取り付けられるベース部材と、前記ベース部材の前面より挿入して前記ベース部材に沿って摺動固定される固定部材とからなるＩＣカードリーダライタ用の壁面取付具であって、前記固定部材は、ＩＣカードリーダライタを固定する固定部と、前記固定部に設けられ、前記ベース部材の一対の凸片にそれぞれ係合する一対の係合片と、前記ＩＣカードリーダライタの配線を収容する配線収容部とを備える。
【０００６】
前記固定部は、一対の部材で構成されていてもよい。
【０００７】
前記固定部は、連結部材を介して連結された一対の部材で構成されていてもよい。
【０００８】
前記ベース部材は、一対の部材で構成されていてもよい。
【０００９】
前記ベース部材の凸片及び前記固定部材の係合片は、相互に対応するテーパー面をそれぞれ備えていていもよい。
【００１０】
また、本発明は、一対の凸片を少なくとも２組備え、壁面に取り付けられるベース部材と、前記ベース部材に沿って摺動固定される固定部材とからなるＩＣカードリーダライタ用の壁面取付具であってもよく、前記固定部材は、ＩＣカードリーダライタを固定する固定部と、前記固定部に設けられ、前記ベース部材の一対の凸片にそれぞれ係合する一対の係合片と、前記ＩＣカードリーダライタの配線を収容する配線収容部とを備える。
【００１１】
前記固定部は、一対の部材で構成されていてもよい。
【００１２】
前記ベース部材は、一対の部材で構成されていてもよい。
【００１３】
前記ベース部材の凸片及び前記固定部材の係合片は、相互に対応するテーパー面をそれぞれ備えていていもよい。
【００１４】
前記ベース部材の一対の凸片及び前記固定部材の一対の係合片は、前記固定部材の挿入方向に従い、順次間隔を広げて配置されていてもよい。
【発明の効果】
【００１５】
前記手段によれば、後方に立ち入ることができない壁面であっても、ＩＣカードリーダライタを容易に取り付けることができる。また、取付作業者であれば、取付作業が容易であり、第三者が取付状態を一見したとしても、取外し方法が認識し難い構造となっているので、ＩＣカードリーダライタの盗難や配線の切断を防止することができる。
【発明を実施するための最良の形態】
【００１６】
以下、本発明の実施の形態を添付の図面に従って説明する。
【００１７】
前記したように、本発明は、一対の凸片１３ａ，１３ｃを少なくとも２組備え、壁面に取り付けられるベース部材３と、前記ベース部材３の前面より挿入して前記ベース部材３に沿って摺動固定される固定部材４とからなるＩＣカードリーダライタ用の壁面取付具１であって、前記固定部材４は、ＩＣカードリーダライタ２を固定する固定部１９ａ，１９ｂと、前記固定部１９ａ，１９ｂに設けられ、前記ベース部材３の一対の凸片１３ａ，１３ｃにそれぞれ係合する一対の係合片１２ａ，１２ｃと、前記ＩＣカードリーダライタ２の配線７を収容する配線収容部２０とを備える。
【００１８】
図１は、本発明の第１実施形態に係るＩＣカードリーダライタ用の壁面取付具１を用いて、ＩＣカードリーダライタ２を壁面に取り付けた状態を示す前方斜視図（前方斜め左下方向から見た斜視図）である。壁面取付具１は、ベース部材３と、固定部材４とからなる。
【００１９】
図２（ａ）は、ベース部材３の正面図である。図２（ｂ）は、ベース部材３の背面図である。図２（ｃ）は、ベース部材３の平面図である。図５は、ベース部材３を壁面に取り付ける方法を示す前方斜視図（前方斜め左下方向から見た斜視図）である。図６は、ベース部材３を壁面に取り付ける方法を示す後方斜視図（壁面の後方斜め左下方向から見た斜視図）であり、壁面の後方から観察した場合にはベース部材３を視認することができないため、図面構成上、ベース部材３を破線で表している。なお、ベース部材３については、図２（ａ）に示した面をベース部材３の前面とし、これを基準として他の面を、後面、左右側面、上面、下面として説明する。
【００２０】
ベース部材３は、板状で、前面長手方向の上下両端の左右には、図２（ａ），（ｂ）、図５及び図６に示したように、壁面固定用のネジ５ａを挿通するネジ孔５がそれぞれ形成されている。ベース部材３の前面長手方向の上方には、上端の左右に形成された２つのネジ孔５の間に位置する配線収容凹部６が設けられている。配線収容凹部６は、ＩＣカードリーダライタ２の配線７の一部を収容する。配線収容凹部６の下方には、矩形状の開口部８が連設されている。開口部８は、図１に示したように、ＩＣカードリーダライタ２の配線７や接続コネクタ９及びホストコンピュータ等の配線１０や接続コネクタ１１を収容する。ベース部材３の前面長手方向の左右両端には、固定部材４の各係合片１２ａ〜１２ｃと係合する一対の上側凸片１３ａ、中央凸片１３ｂ及び下側凸片１３ｃが設けられている。前記各凸片１３ａ〜１３ｃをベース部材３の前面短手方向に切断した場合、各凸片１３ａ〜１３ｃの断面形状は、直角三角形状であり、その斜面は、固定部材４の各係合片１２ａ〜１２ｃの形状と対応する係合面となっている。中央凸片１３ｂと下側凸片１３ｃとの間には、固定部材４の連結部材１４を移動させることができる移動用凹部１５が形成されている。下側凸片１３ｃの下方には、固定部材４の嵌合凹部１６と嵌合する嵌合凸部１７がそれぞれ形成されている。各嵌合凸部１７が形成されたベース部材３の下面には、固定部材４を固定するネジ部材１８ａを挿通するネジ挿通孔１８が形成されている。
【００２１】
図３（ａ）は、固定部材４の正面図である。図３（ｂ）は、固定部材４の底面図である。図７は、ＩＣカードリーダライタ２を固定部材４に取り付ける方法を示す前方斜視図（前方斜め左下方向から見た斜視図）である。なお、固定部材４については、図３（ａ）に示した面を固定部材４（各固定部１９ａ，１９ｂ及び配線収容部２０）の前面とし、これを基準として他の面を、後面、左右側面、上面、下面として説明する。
【００２２】
固定部材４は、図３及び図７に示したように、一対の固定部１９ａ，１９ｂと、配線収容部２０とからなり、固定部材４の前面から見て、左回りに９０度回転した略コの字状に構成されている。一対の固定部１９ａ，１９ｂの前面長手方向の上下両端には、ＩＣカードリーダライタ固定用のネジ部材２１ａを挿通するネジ挿通孔２１がそれぞれ形成されている。一対の固定部１９ａ，１９ｂは、配線収容部２０の下面の左右にそれぞれ連設されている。各固定部１９ａ，１９ｂの前面長手方向の内側端には、前記ベース部材３の各凸片１３ａ〜１３ｃと係合する上側係合片１２ａ、中央係合片１２ｂ、下側係合片１２ｃが設けられている。前記各係合片１２ａ〜１２ｃを、各固定部１９ａ，１９ｂの前面短手方向に切断した場合、各係合片１２ａ〜１２ｃの断面形状は、前記各凸片１３ａ〜１３ｃとは逆の直角三角形状であり、その斜面は、前記ベース部材３の凸片１３ａ〜１３ｃの形状に対応する係合面となっている。下側係合片１２ｃの下方には、前記ベース部材３の嵌合凸部１７と嵌合する嵌合凹部１６がそれぞれ形成されている。各嵌合凹部１６が形成された各固定部１９ａ，１９ｂの下面には、前記ベース部材３のネジ挿通孔１８より挿通されたネジ部材１８ａを固定するネジ孔２２が形成されている。一対の固定部１９ａ，１９ｂは、下側係合片１２ｃの上方に設けた板状の連結部材１４を介して連結されている。配線収容部２０は、一対の固定部１９ａ，１９ｂの上面に連設され、前方に向かって突出している。配線収容部２０は、後面側が空洞状で、ＩＣカードリーダライタ２の配線７の一部及び配線接続保護部２３を収容する。配線収容部２０の下面右側には、図１に示したように、ＩＣカードリーダライタ２の配線接続保護部２３を挿入する挿入口２４が形成されている。また、配線収容部２０の下面には、ＩＣカードリーダライタ２の配線７をベース部材３の収容凹部６に中継するための中継用凹部２５が形成されている。
【００２３】
図４は、ＩＣカードリーダライタ２の前方斜視図（前方斜め左上方向から見た斜視図）である。ＩＣカードリーダライタ２は、図４に示したように、本実施形態に係る壁面取付具１に固定される板状のリーダライタ本体２６と、該リーダライタ本体２６に接続された配線７と、配線７の先端に取り付けられた接続コネクタ９とからなる。リーダライタ本体２６の裏面には、ネジ部材２１ａが締結される４つのネジ孔（不図示）が形成されている。ＩＣカードリーダライタ２は、接続コネクタ９，１１を介して、ホストコンピュータ等に接続される。
【００２４】
次に、本発明の第１実施形態に係る壁面取付具１を用いて、ＩＣカードリーダライタ２を壁面に取り付ける場合の手順について説明する。
【００２５】
図５及び図６に示したように、ベース部材３の開口部８の中央が、ホストコンピュータ等からの配線１０及び接続コネクタ１１を引き出した壁面の配線引出用穴２７に位置するように、ベース部材３を壁面に設置し、十字穴のネジ部材５ａをベース部材３のネジ挿通孔５に挿通し、このネジ部材５ａを壁面に締結して、ベース部材３を壁面に取り付ける。本実施形態に係るベース部材３を壁面に取り付けた場合、各嵌合凸部１７に形成されたネジ孔１８は、ベース部材３の前面から見て下側に位置することになる。
【００２６】
図７に示したように、ＩＣカードリーダライタ２の配線接続保護部２３を固定部材４の挿入口２４に挿入しながら、一対の固定部１９ａ，１９ｂにＩＣカードリーダライタ２を設置して、ＩＣカードリーダライタ２の配線７を配線中継用凹部２５に通した状態にする。固定部材４の裏面よりネジ挿通孔２１に十字穴のネジ部材２１ａを挿通し、このネジ部材２１ａを、ＩＣカードリーダライタ２の裏面に形成されたネジ孔（不図示）に締結して、ＩＣカードリーダライタ２を固定部材４に取り付ける。
【００２７】
図８に示したように、ＩＣカードリーダライタ２とホストコンピュータ等の接続コネクタ９，１１同士を接続して、固定部材４の連結部材１４がベース部材３の移動用凹部１５の上部に位置するように、固定部材４をベース部材３に重ねる。この状態で、ＩＣカードリーダライタ２が取り付けられた固定部材４を、ベース部材３の前面下端に向かって摺動させると、一対の固定部１９ａ，１９ｂの各係合片１２ａ〜１２ｃが対応するベース部材３の凸片１３ａ〜１３ｃに係合し、各固定部１９ａ，１９ｂの嵌合凹部１６が、ベース部材３の嵌合凸部１７と嵌合して、固定部材４がベース部材３に装着される。固定部材４をベース部材３の前面下端に向かって摺動させるストロークは、係合片１２ａ〜１２ｃの上下方向の長さ分だけでよい。固定部材４をベース部材３に固定する際には、好ましくは、第三者が固定部材４を容易に取り外してＩＣカードリーダライタ２を持ち去ることができないように、通常の工具では取り外しができないネジ（トルックスネジのようないたずら防止ネジ）を使用してもよい。例えば、六角穴のネジ部材１８ａを、ベース部材３の嵌合凸部１７のネジ孔１８に挿通し、このネジ部材１８ａを、固定部材４の嵌合凹部１６に形成されたネジ孔２２に締結して、固定部材４をベース部材３に固定する。これにより、ＩＣカードリーダライタ２の壁面への取付作業が完了する。
【００２８】
なお、固定部材４の係合片１２ａ〜１２ｃとベース部材３の凸片１３ａ〜１３ｃの係合を容易にするために、係合片１２ａ〜１２ｃの前面長手方向の下端角部Ｒ又は凸片１３ａ〜１３ｃの係合部の後面長手方向の上端角部Ｓに丸み又は面取りを設けてもよい。
【００２９】
以上のように、本発明の第１実施形態に係る壁面取付具１を用いた場合には、取付作業者が壁面の後方に立ち入ることができないような取付場所であっても、ＩＣカードリーダライタを壁面に取り付けることが可能となる。
【００３０】
また、その取付構造は、ＩＣカードリーダライタ２を固定した固定部材４を、壁面に取り付けられたベース部材３に重ね、前面下端の方向に摺動させて、六角穴のネジ部材１８ａを使用してベース部材３に固定するだけである。このため、ベース部材３の下端に向かって固定部材４を摺動させるストロークが短く、配線の引き回しも短くて済むので、作業者にとって取付作業が容易であり、また、第三者が取付状態を一見しただけでは、取外し方法を外部から完全に認識して、取り外すことが困難である。これにより、本発明の第１実施形態に係る壁面取付具１によれば、ＩＣカードリーダライタ２の盗難や配線の切断の防止を図ることができる。
【００３１】
なお、一対の固定部１９ａ，１９ｂに形成された中央係合片１２ｂは、固定部材４全体の反りを防止するために設けられたものであり、ベース部材３に係合する少なくとも４つの係合片１２ａ，１２ｃが、一対の固定部１９ａ，１９ｂに設けられていれば、ＩＣカードリーダライタ２の容易な取付けと盗難及び配線の切断の防止という本発明の目的を達成することが可能である。また、固定部材４は、ベース部材３の前面下端に向かって摺動させるものに限定されず、前面上端に向かって摺動させてもよい。さらに、前記実施例では、ベース部材３の前面長手方向の左右両端に凸片１３ａ〜１３ｃを設け、固定部材４の一対の固定部１９ａ，１９ｂの前面長手方向の内側端に係合片を設けたが、図９に示したように、ベース部材３を一対の部材３ａ，３ｂで構成して、各部材３ａ，３ｂの前面長手方向の内側端に、凸片１２ａ〜１２ｃを設ける一方、固定部材４の前面長手方向の左右両端に係合片１２ａ〜１２ｃを設けてもよい。また、本実施形態では、ベース部材３の凸片１３ａ〜１３ｃ及び固定部材４の係合片１２ａ〜１２ｃを、ベース部材３及び各固定部１９ａ，１９ｂの前面短手方向に切断した場合、各凸片１３ａ〜１３ｃ及び各係合片１２ａ〜１２ｃの断面形状は、相互に対応する直角三角形状に構成されているが、このような形状に限定されるものではなく、相互に対応するように構成されていれば、図１０に示したように、鉤形や正三角形等であってもよい。
【００３２】
図１１は、本発明の第２実施形態に係るＩＣカードリーダライタ用の壁面取付具１を用いて、ＩＣカードリーダライタ２を壁面に取り付けた状態を示す前方斜視図（前方斜め左下方向から見た斜視図）である。本実施形態に係る壁面取付具１は、図１２及び図１３に示したように、ベース部材３の一対の凸片１３ａ〜１３ｃ及び固定部材４の一対の係合片１２ａ〜１２ｃが、固定部材４の挿入方向に従い（すなわち、下側に位置するものほど）、間隔を広げて配置されている点、一対の固定部１９ａ，１９ｂが連結部材１４を介して連結されていない点を除けば、前記第１実施形態の壁面取付具１と同一であるので、対応する部分に同一符号を付して説明を省略する。
【００３３】
本発明の第２実施形態に係る壁面取付具１を用いて、ＩＣカードリーダライタ２を壁面に取り付ける場合、固定部材４をベース部材３の上面側から挿入してベース部材３に摺動固定させてもよい点を除けば、本発明の第１実施形態の壁面取付具１を用いた取付手順と同一である。
【図面の簡単な説明】
【００３４】
【図１】本発明の第１実施形態に係るＩＣカードリーダライタ用の壁面取付具を用いて、ＩＣカードリーダライタを壁面に取り付けた状態を示す前方斜視図（前方斜め左下方向から見た斜視図）である。
【図２】（ａ）は図１に示されたベース部材の正面図、（ｂ）は図１に示されたベース部材の背面図、（ｃ）は図１に示されたベース部材の平面図である。
【図３】（ａ）図１に示された固定部材の正面図、（ｂ）は図１に示された固定部材の底面図である。
【図４】図１に示されたＩＣカードリーダライタの前方斜視図（前方斜め左上方向から見た斜視図）である。
【図５】図１に示されたベース部材を壁面に取り付ける方法を示す前方斜視図（前方斜め左下方向から見た斜視図）である。
【図６】図１に示されたベース部材を壁面に取り付ける方法を示す後方斜視図（後方斜め左下方向から見た斜視図）である。
【図７】図４のＩＣカードリーダライタを固定部材に取付方法を示す前方斜視図（前方斜め左下方向から見た斜視図）である。
【図８】図４のＩＣカードリーダライタが取り付けられた固定部材を、壁面に取り付けられたベース部材に装着して摺動固定する方法を示す前方斜視図（前方斜め左上方向から見た斜視図）である。
【図９】別の実施例を示すベース部材及び固定部材の正面図である。
【図１０】上側凸片及び係合片の別の実施例を示すベース部材及び固定部材の断面図である。
【図１１】本発明の第２実施形態に係るＩＣカードリーダライタ用の壁面取付具を用いて、ＩＣカードリーダライタを壁面に取り付けた状態を示す前方斜視図（前方斜め左下方向から見た斜視図）である。
【図１２】（ａ）は図１０に示されたベース部材の正面図、（ｂ）は図１０に示されたベース部材の背面図、（ｃ）は図１０に示されたベース部材の平面図である。
【図１３】（ａ）図１０に示された固定部材の正面図、（ｂ）は図１０に示された固定部材の底面図である。
【符号の説明】
【００３５】
１  ＩＣカードリーダライタ用の壁面取付具
２  ＩＣカードリーダライタ
３  ベース部材
４  固定部材
５  ネジ挿通孔
６  配線収容凹部
７  ＩＣカードリーダライタの配線
８  開口部
９  ＩＣカードリーダライタの接続コネクタ
１０  ホストコンピュータ等の配線
１１  ホストコンピュータ等の接続コネクタ
１２ａ  上側係合片
１２ｂ  中央係合片
１２ｃ  下側係合片
１３ａ  上側凸片
１３ｂ  中央凸片
１３ｃ  下側凸片
１４  連結部材
１５  移動用凹部
１６  嵌合凹部
１７  嵌合凸部
１８  ネジ挿通孔
１９ａ，１９ｂ  固定部材
２０  配線収容部
２１  ネジ挿通孔
２２  ネジ締結孔
２３  配線保護部
２４  挿入口
２５  中継用凹部
２６  リーダライタ本体
２７  配線引出用穴
【図１】
2007272645.tif 000003
【図２】
2007272645.tif 000004
【図３】
2007272645.tif 000005
【図４】
2007272645.tif 000006
【図５】
2007272645.tif 000007
【図６】
2007272645.tif 000008
【図７】
2007272645.tif 000009
【図８】
2007272645.tif 000010
【図９】
2007272645.tif 000011
【図１０】
2007272645.tif 000012
【図１１】
2007272645.tif 000013
【図１２】
2007272645.tif 000014
【図１３】
2007272645.tif 000015